(57)【要約】【課題】残像で目がくらんだり眩しかったりしないようにして使用者に支障を与えることがないとともに、指向性が低下したり照度が低下したりして性能に影響を及ぼすことがない照明器具を提供する。【解決手段】照明器具１０は、反射板１３の方向に照射される発光部１５が周方向に等間隔に配置されるＬＥＤブロック１４と、ＬＥＤブロック１４を保持する台座１７と、反射板１３の頂部を貫通し一端に台座１７を固定し他端が器具本体１１に固定される支柱１８と、を備え、ＬＥＤブロック１４を、反射板１３の開口縁部と、台座１７の周縁部と、を通過する線よりも支柱１８側に配置した。【選択図】図１
2011065779.tif 000002
【特許請求の範囲】
【請求項１】
一端側に開口部を有する器具本体と、
前記器具本体に収容される反射板と、
前記反射板の方向に照射される発光部が周方向に等間隔に配置されるＬＥＤブロックと、
前記ＬＥＤブロックを保持する台座と、
前記反射板の頂部を貫通し一端に前記台座を固定し他端が前記器具本体に固定される支柱と、
を備え、
前記ＬＥＤブロックは、前記反射板の開口縁部と、前記台座の周縁部と、を通過する線よりも前記支柱側に配置されたことを特徴とする照明器具。
【請求項２】
前記台座および前記支柱は、部分的にもしくは全体が熱伝導性を有することを特徴とする請求項１に記載した照明器具。
【発明の詳細な説明】
【技術分野】
【０００１】
本発明は、例えば住宅等の天井面に埋設されて廊下や壁等を照明するダウンライトに用いられる照明器具に関する。
【背景技術】
【０００２】
従来の照明器具の一例として、反射板内で、筒形状のＬＥＤ基板にＬＥＤを実装し、ＬＥＤ基板のピンをコネクタに挿入することによりＬＥＤ基板を回路基板に着脱自在に取り付けたものがある（例えば、特許文献１参照）。
【先行技術文献】
【特許文献】
【０００３】
【特許文献１】特開２００４−３９５９４号公報（図１、段落番号００１５）
【発明の概要】
【発明が解決しようとする課題】
【０００４】
近年、ＬＥＤの輝度は飛躍的に向上しており、ＬＥＤを用いた照明器具においては、眩しさを考慮する必要がある。
【０００５】
ところが、上記特許文献１に開示された従来の照明器具においては、床面側からＬＥＤが直視される。
従って、ＬＥＤの直視に伴い、残像で目がくらんだり、眩しかったりして使用者に支障を与える虞がある。
【０００６】
加えて、上記特許文献１に開示された従来の照明器具においては、拡散パネルを設けて眩しさを抑えるようにする場合がある。しかし、拡散パネルの設置によりＬＥＤの特性に悪影響を与える虞がある。
従って、指向性が低下したり、照度が低下したりして照明器具の性能に影響を及ぼす虞がある。
【０００７】
本発明は、前述した課題を解決するためになされたものであり、その目的は、残像で目がくらんだり眩しかったりしないようにして使用者に支障を与えることがないとともに、指向性が低下したり照度が低下したりして性能に影響を及ぼすことがない照明器具を提供することにある。
【課題を解決するための手段】
【０００８】
本発明に係る照明器具は、一端側に開口部を有する器具本体と、前記器具本体に収容される反射板と、前記反射板の方向に照射される発光部が周方向に等間隔に配置されるＬＥＤブロックと、前記ＬＥＤブロックを保持する台座と、前記反射板の頂部を貫通し一端に前記台座を固定し他端が前記器具本体に固定される支柱と、を備え、前記ＬＥＤブロックは、前記反射板の開口縁部と、前記台座の周縁部と、を通過する線よりも前記支柱側に配置されたことを特徴とする。
【０００９】
本発明において、ＬＥＤブロックは、反射板の開口縁部と、台座の周縁部と、を通過する線、即ち、床面からの人の視線の範囲よりも支柱側に隠れて配置される。
これにより、床面側からＬＥＤブロックに有するＬＥＤを直視することはない。
従って、残像で目がくらんだり眩しかったりしないようにして使用者に支障を与えることがないようにすることができる。
【００１０】
本発明において、ＬＥＤブロックに有するＬＥＤの発光光は、反射板により反射してから反射板の開口部を通じて床面に向けて直接出射させる。
これにより、拡散パネル等を設置することなく眩しさを抑えることができる。
従って、指向性が低下したり照度が低下したりして性能に影響を及ぼすことがないようにすることができる。
【００１１】
本発明に係る照明器具は、上記照明器具において、前記台座および前記支柱は、部分的にもしくは全体が熱伝導性を有することを特徴とする。
【００１２】
本発明において、部分的にもしくは全体が熱伝導性を有する台座および支柱は、ＬＥＤブロックに熱的に結合される。
これにより、台座および支柱は、ＬＥＤブロックの発した熱を積極的に吸収する。
従って、台座および支柱によりＬＥＤブロックの発した熱を効率よく放出してＬＥＤブロックを放熱することができる。
【発明の効果】
【００１３】
本発明の照明器具によれば、ＬＥＤブロックを保持する台座と、反射板の頂部を貫通し一端に台座を固定し他端が器具本体に固定される支柱と、を備え、ＬＥＤブロックを、反射板の開口縁部と、台座の周縁部と、を通過する線よりも支柱側に配置した。
これにより、残像で目がくらんだり眩しかったりしないようにして使用者に支障を与えることがないようにすることができるとともに指向性が低下したり照度が低下したりして性能に影響を及ぼすことがないようにすることができるという効果を有する。
【図面の簡単な説明】
【００１４】
【図１】本発明に係る一実施形態の照明器具の垂直断面図
【図２】図１の照明器具に適用されるＬＥＤ固定部材の斜め上方から視た外観斜視図
【図３】図１の照明器具の床面側から視た外観斜視図
【発明を実施するための形態】
【００１５】
以下、本発明の一実施形態に係る照明器具について図面を参照して説明する。
【００１６】
図１、図２に示すように、本発明の一実施形態である照明器具１０は、一端側に開口部１２を有する器具本体１１と、器具本体１１に収容された反射板１３と、反射板１３の方向に照射される複数の発光部１５が周方向に等間隔に配置されるＬＥＤブロック１４と、ＬＥＤブロック１４を保持する台座１７および反射板１３の頂部を貫通し一端に台座１７を有し他端が器具本体１１に固定される支柱１８からなるＬＥＤ固定部材１６とを備えて、住宅等の天井面１に形成された取付孔２に埋設される。
【００１７】
器具本体１１は、金属製板部材をプレス成形したり、或いは硬質の樹脂材料を用いて成形したりして筒形状に形成されている。
【００１８】
器具本体１１は、中板１９の上方に上部周板２０を有し、中板１９の下方に下部周板２１を有する。開口部１２は下部周板２１の下端部に配置されている。
【００１９】
上部周板２０は、その内側に電源ブロック２２を収容しており、その上端部に天板２３をネジ固定している。天板２３は器具本体１１の側部に延出しており、その延出部分に電源端子台２４を固定している。
【００２０】
電源端子台２４は天井面１から引き込まれた不図示の電源配線に電気的に接続されるとともに同じく不図示の器具配線を通じて電源ブロック２２に電気的に接続される。電源ブロック２２は不図示の器具配線を通じてＬＥＤブロック１４に電気的に接続されており、内蔵されている例えばインバータ回路により電源端子台２４から与えられた商用電源をＬＥＤブロック１４用の直流電源に変換して給電する。
【００２１】
下部周板２１には、不図示の複数の取付バネを外周の等間隔に取り付けている。取付バネは、照明器具１０を設置する際に、器具本体１１を取付孔２に押し込んでいきながら外形を小さくするように摘まれて水平方向に弾性変形される。そして、器具本体１１が取付孔２に挿入された後に垂直方向に弾性復元することにより天井面１の上面に引っ掛って照明器具１０を天井面１に支持する。
【００２２】
下部周板２１は、その下端部にフランジ２５を有する。フランジ２５は天井面１に当接することにより器具本体１１を天井面１に位置決めする。
【００２３】
反射板１３は、下方に開口部２６を有する半球形状に形成されて内面に反射層２７を形成しており、下部周板２１内においてブラケット２８を介して中板１９の下面に固定されている。
【００２４】
ＬＥＤ固定部材１６は、熱伝導性を有する樹脂材料等を用いて垂直断面視逆Ｔ字形状に形成されており、下部の台座１７と上部の支柱１８とを一体に有する。ＬＥＤ固定部材１６は台座１７および支柱１８が部分的に熱伝導性を有するようにしても良い。
【００２５】
台座１７は、外径寸法Ｄ１を有して、その中央部が支柱１８の下端部に同心に接続されている。台座１７の上面には、ＬＥＤ基板２９に実装されたＬＥＤ３０を有する複数のＬＥＤブロック１４を、支柱１８を囲むように周方向に等間隔で取り付けている。ＬＥＤ３０は、所定の発光色を選ばれており、点光源或いは、ある程度の拡散された出射範囲を有する。
【００２６】
支柱１８は、台座１７の外径寸法Ｄ１よりも十分に小さい外径寸法Ｄ２で長さ寸法Ｌ１の棒形状に形成されている。支柱１８は、その上端部が反射板１３の頂部およびブラケット２８の中央部を貫通して器具本体１１の中板１９の下面の中央部に固定されており、その下端部に台座１７を接続している。
【００２７】
ＬＥＤ固定部材１６は、反射板１３の開口部２６の縁部と、台座１７の周縁部と、を通過する線Ａよりも支柱１８側にＬＥＤブロック１４を配置している。ＬＥＤブロック１４は、台座１７を通じて支柱１８および器具本体１１に熱的に結合されている。
【００２８】
図３に示すように、このような照明器具１０は天井面１の取付孔２に埋設されて設置される。
【００２９】
照明器具１０は、電源端子台２４から与えられた商用電源が電源ブロック２２により直流電源に変換されてＬＥＤブロック１４にそれぞれ給電され、ＬＥＤブロック１４のＬＥＤ３０がそれぞれ発光される。
【００３０】
ＬＥＤ３０の発光部１５からの発光光αは、図１を参照して、反射板１３の反射層２７により反射してから反射板１３の開口部２６を通じて床面に向けて出射される。
【００３１】
このとき、ＬＥＤブロック１４が、反射板１３の開口部２６の縁部と、台座１７の周縁部と、を通過する線Ａよりも支柱１８側に配置されているために、ＬＥＤブロック１４は、床面からの人の視線の範囲内にない。
これにより、床面側からＬＥＤ３０を直視することはない。
【００３２】
本発明の一実施形態の照明器具１０では、ＬＥＤブロック１４は、反射板１３の開口部２６の縁部と、台座１７の周縁部と、を通過する線Ａ、即ち、床面からの人の視線の範囲よりも支柱１８側に隠れて配置される。
これにより、床面側からＬＥＤ３０を直視することはない。
従って、残像で目がくらんだり眩しかったりしないようにして使用者に支障を与えることがないようにすることができる。
【００３３】
本発明の一実施形態の照明器具１０では、ＬＥＤ３０の発光光αは、反射板１３により反射してから反射板１３の開口部２６を通じて床面に向けて直接出射させる。
これにより、拡散パネル等を設置することなく眩しさを抑えることができる。
従って、指向性が低下したり照度が低下したりして性能に影響を及ぼすことがないようにすることができる。
【００３４】
本発明の一実施形態の照明器具１０では、全体が熱伝導性を有する台座１７および支柱１８は、ＬＥＤブロック１４に熱的に結合される。
これにより、台座および支柱は、ＬＥＤブロック１４の発した熱を積極的に吸収する。
従って、台座１７および支柱１８によりＬＥＤブロック１４の発した熱を効率よく放出してＬＥＤブロック１４を放熱することができる。
【００３５】
なお、前記実施形態で使用した器具本体１１、反射板１３、ＬＥＤブロック１４等は例示したものに限定するものではなく適宜変更が可能である。
【符号の説明】
【００３６】
１０  照明器具
１１  器具本体
１２  開口部
１３  反射板
１４  ＬＥＤブロック
１５  発光部
１７  台座
１８  支柱
【図１】
2011065779.tif 000003
【図２】
2011065779.tif 000004
【図３】
2011065779.tif 000005